(57)【要約】【課題】扉に与える初期弾性力を調節可能なヒンジを提供する。【解決手段】ヒンジ１０は、枢軸１１を支持し且つ框１６に固定される支持枠板１２と、枢軸１１に回転可能に取り付けられ且つ扉２９に固定される回転板１３と、枢軸１１に装着されるねじりばね１４と、支持枠板１２に設けられている調節部１７とを備え、該調節部１７は、傾斜面２１を有し且つ枢軸１１に接近或いは離間可能な傾斜部２２と、該傾斜部２２を移動させて位置決めする調節ネジ２３と、位置決めされた傾斜部を固定する固定ネジ２４とを備え、ねじりばね１４の端部３０を回転板１３に当接させ、端部３１を傾斜面２１に当接させる。【選択図】　　　　図１
2004100316.tif 000002
【特許請求の範囲】
【請求項１】
扉を取り付けるための框に、枢軸を介して前記扉を枢支するために用いられ、
前記框に固定され且つ前記枢軸を支持している支持部と、
前記枢軸に回転可能に取り付けられ且つ前記扉に固定される回転部と、
前記扉を開くと、前記回転部を介して、前記扉の回動を制動する弾性力を前記扉に与えるばね部材と、
該ばね部材の初期の前記弾性力を調節するための調節部とを備えることを特徴とするヒンジ。
【請求項２】
前記ばね部材は、前記枢軸に装着されるねじりばねであり、該ねじりばねの一端は、前記回転部に当接し、前記ねじりばねの他端は、前記調節部に当接することを特徴とする請求項１に記載されたヒンジ。
【請求項３】
前記調節部は、前記他端と当接する傾斜面を有する傾斜部と、前記他端を前記一端に接近及び離間させるべく前記傾斜部を前記枢軸へ移動して位置決めする位置決め手段とを備えることを特徴とする請求項２に記載されたヒンジ。
【請求項４】
前記調節部は、更に、位置決めされた前記傾斜部を前記支持部に固定するための固定ネジとを備えることを特徴とする請求項３に記載されたヒンジ。
【請求項５】
前記調節部は、更に、前記ネジを絞め付けるためのＬ型レンチを備えることを特徴とする請求項４に記載されたヒンジ。
【発明の詳細な説明】
【０００１】
【発明の属する技術分野】
本発明は、扉を框に枢支するためのヒンジに関し、特に、扉を閉めることが可能なヒンジに関する。
【０００２】
【従来の技術】
扉を框に枢支するために、ヒンジが用いられている。
従来のヒンジは、例えば、框に固定され且つ枢軸を支持している支持板材と、扉に固定され且つ枢軸に回転可能に取り付けられている回転板材と、枢軸に装着されるねじりばねとを備えている。
【０００３】
このようなヒンジでは、ねじりばねの一端が、回転板材に当接しており、その他端が、支持板材に当接して位置決めされている。これにより、扉を開くと、該扉の回動に伴って、ねじりばねの一端が、回転板材を介して他端に接近するように押圧されるので、扉の閉める方向への弾性力を扉に与える。
【０００４】
【発明が解決しようとする課題】
しかし、このような従来のヒンジにおいては、扉に最初に設定すべきねじりばねの初期弾性力を調節することができなかった。
このため、例えば、扉の重さが大きいにもかかわらず、ねじりばねの初期弾性力が小さ過ぎる場合、扉を開けた後その施錠を忘れると、扉が確実に閉まらず、半開き状態となってしまう問題がある。
【０００５】
また、例えば、ねじりばねの初期弾性力が大き過ぎると、開いた状態の扉が大きな弾性力を受けているので、この弾性力によって、扉が框に衝突し、壊れてしまう問題がある。
これらのような原因で、従来では、各種の扉に対応させてヒンジを選定する必要があった。
【０００６】
しかし、ヒンジを選定して扉に取り付けても、例えば扉が高所に配されている場合、風の影響で、扉は確実に閉まらなかったり、框に衝突したりしてしまう問題がある。
従って、上記したこれらの問題を解決するために、ばね部材の初期弾性力を調節可能なヒンジが望まれている。
【０００７】
【課題を解決するための手段】
本発明は、以上の点を解決するために、次の構成を採用する。
〈構成〉
本発明に係るヒンジは、扉を取り付けるための框に、枢軸を介して扉を枢支するために用いられ、框に固定され且つ枢軸を支持している支持部と、枢軸に回転可能に取り付けられ且つ扉に固定される回転部と、扉を開くと回転部を介して扉の回動を制動する弾性力を扉に与えるばね部材と、該ばね部材の初期の弾性力を調節するための調節部とを備えることを特徴とする。
【０００８】
〈作用〉
本発明に係るヒンジでは、調節部により、ばね部材の扉に与える初期弾性力を調節することができる。
このような調節により、例えば扉の自重や、風の強さ及び方向等に応じて、ばね部材に適宜な初期弾性力を付与することができるので、扉を框と衝突させることなく確実に閉じることができる。従って、各種の扉に適用可能な優れたヒンジを提供することができる。
【０００９】
ばね部材として、枢軸に装着されるねじりばねを利用することができる。
この場合、ねじりばねの一端は、回転部に当接し、ねじりばねの他端は、調節部に当接する。調節部は、他端と当接する傾斜面を有する傾斜部と、他端を一端に接近或いは離間させるべく傾斜部を枢軸へ移動して位置決めする位置決め手段とを備える。
ねじりばねの一端と他端との接近或いは離間によって、その初期弾性力を大きく、或いは、小さく設定することができる。
【００１０】
また、調節部は、位置決めされた傾斜部を支持部に固定するための固定ネジと、該固定ネジを絞め付けるためのＬ型レンチを備えてもよい。
【００１１】
【発明の実施の形態】
以下、本発明を図示の実施の形態について、詳細に説明する。
〈実施例〉
図１は、本発明に係るヒンジの実施例を示す上面図である。
図２は、図１のＡ−Ａ線に沿って得られた断面図である。
本発明に係るヒンジ１０は、図１及び図２に示されているように、枢軸１１と、該枢軸１１を支持し、ほぼ「コ」字状の断面を示す支持枠板１２と、枢軸１１に回転可能に取り付けられている回転板１３と、枢軸１１に装着されているねじりばね１４とを備えている。
【００１２】
支持枠板１２の一端は枢軸１１を支持しているが、その他端には、ネジ孔１５が設けられている。このネジ孔１５に図示しない固定ネジを螺入することによって、支持枠板１２が、図１に示されているように、框１６に固定される。
【００１３】
この支持枠板１２には、調節部１７と、該調節部１７を調節操作するための開口１８と、ネジ孔１９及び２０とが設けられている。
調節部１７は、支持枠板１２に囲まれ、且つ枢軸１１の近傍に位置する傾斜面２１を有する傾斜部２２と、該傾斜部２２の背面３３に当接し且つネジ孔１９と螺合する調節ネジ２３と、傾斜部２２を支持枠板１２に固定するためにネジ孔２０と螺合する固定ネジ２４と、開口１８から挿入されて、固定ネジ２４を締め付けるためのＬ字状のレンチ３２とを備える。
【００１４】
傾斜部２２は、支持枠板１２の内側面２５に位置している。この傾斜部２２の両側部２６，２６には、固定ネジ２４のネジ孔２０への螺入及び該固定ネジ２４の仮締め状態に傾斜部２２の移動を許す長孔２７，２７が設けられている。
従って、傾斜部２２を移動させた後、固定ネジ２４を上記したレンチ３２によって締め付けると、傾斜部２２を支持枠板１２に固定することができる。
【００１５】
回転板１３には、ネジ孔２８が設けられている。このネジ孔２８に図示しないネジを螺入することで、回転板１３が、図１に示されているように、扉２９に固定される。
【００１６】
ねじりばね１４は、一方の端部３０と、他方の二つの端部３１，３１とを有する。
端部３０は、回転板１３と当接しており、回転板１３を介して、扉２９に弾性力を与える。この扉２９を確実に閉めるための初期弾性力は、後述するように、適宜に設定される。
【００１７】
また、端部３１は、傾斜部２２の傾斜面２１上に当接している。従って、傾斜部２２が例えば枢軸１１に接近するように移動されると、端部３１がこの移動に伴って持ち上げられて、端部３０に接近する。これら両端部３０及び３１の接近により、ねじりばね１４の初期弾性力が大きく設定される。
【００１８】
〈実施例の動作〉
次に、図１及び図２を参照しながら、ヒンジ１０の機能動作を説明する。
本実施例において、ヒンジ１０の支持枠板１２及び回転板１３をそれぞれ框１６と扉２９とに固定すると、扉２９が框１６に枢支される。
【００１９】
そして、扉２９の自重に基づいて扉２９に適切な初期弾性力を与えるために、調節ネジ２３を回転させると、傾斜部２２が支持枠板１２の内側面２５上で、仮締めされている固定ネジ２４に規定されながら、枢軸１１に接近或いは離間するように移動するる。この移動によって、ねじりばね１４の端部３１が端部３０に接近或いは離間する。
【００２０】
この端部３１が端部３０へ接近し或いは端部３０から離間することによって、回転板１３を介して扉２９に与える初期弾性力が大きく或いは小さく設定される。
適切な初期弾性力を設定すると、調節ネジ２３の回転を停止する。これにより、傾斜部２２が位置決めされる。
【００２１】
その後、レンチ３２を開口１８から挿入し、該レンチ３２によって固定ネジ２４を締め付けると、位置決めされた傾斜部２２が支持枠板１２に固定される。
【００２２】
〈実施例の効果〉
本実施例において、本発明のヒンジ１０により扉２９を枢支した後、調節部１７の簡単な調節操作で、扉２９に与えるねじりばね１４の初期弾性力を最適に設定することができるので、扉２９を衝突させることなく、自動的且つ確実に閉めることができる。
【００２３】
【発明の効果】
本発明に係るヒンジによれば、調節部により、扉の自重或いは風量及び風向変化に基づいて、扉に与える初期弾性力を調節可能であるので、各種の扉を自動的且つ確実に閉めることができる。
【図面の簡単な説明】
【図１】本発明に係るヒンジの実施例を示す上面図である。
【図２】図１のＡ−Ａ線に沿って得られた断面図である。
【符号の説明】
１０　ヒンジ
１１　枢軸
１２　支持枠板（支持部）
１３　回転板（回転部）
１４　ねじりばね（ばね部材）
１７　調節部
２３　調節ネジ（位置決め手段）
２４　固定ネジ
３０　ねじりばねの一方の端部（一端）
３１　ねじりばねの他方の端部（他端）
３２　Ｌ型レンチ
【図１】
2004100316.tif 000003
【図２】
2004100316.tif 000004